(57)【要約】【課題】回路規模を削減し、かつ高速な処理を可能とした両面イメージスキャナ装置の提供を目的とする。【解決手段】原稿の表面側を読み取る表面用のイメージセンサ２ａおよび裏面側を読み取る裏面用のイメージセンサ２ｂを備え、それぞれ個別のＡ／Ｄ変換器３ａ，３ｂにより処理を行う両面イメージスキャナ装置において、Ａ／Ｄ変換器３ａ，３ｂによる処理後のデータを表面用のデータ領域および裏面用のデータ領域にそれぞれ記憶する１系統のメモリ５と、このメモリ５からデータを読み出して画像処理を行う１系統の画像処理回路６と、画像処理回路６がメモリ５にアクセスするデータ領域を、所定の条件により表面用のデータ領域または裏面用のデータ領域のいずれかに切り替えるメモリ切替回路７とを備える。【選択図】図１
2007274449.tif 000002
【特許請求の範囲】
【請求項１】
原稿の表面側を読み取る表面用イメージセンサおよび裏面側を読み取る裏面用イメージセンサを備え、それぞれ個別のＡ／Ｄ変換器により処理を行う両面イメージスキャナ装置において、
前記Ａ／Ｄ変換器による処理後のデータを表面用のデータ領域および裏面用のデータ領域にそれぞれ記憶する１系統のメモリと、
このメモリから前記データを読み出して画像処理を行う１系統の画像処理回路と、
前記画像処理回路が前記メモリにアクセスするデータ領域を、所定の条件により前記表面用のデータ領域または裏面用のデータ領域のいずれかに切り替えるメモリ切替回路とを備えたことを特徴とする両面イメージスキャナ装置。
【請求項２】
前記メモリ切替回路は、予め設定されたライン数ごとに切り替えるものであることを特徴とする請求項１記載の両面イメージスキャナ装置。
【請求項３】
前記メモリ切替回路は、データバッファのフルまたはエンプティに応じて切り替えるものであることを特徴とする請求項１記載の両面イメージスキャナ装置。
【発明の詳細な説明】
【技術分野】
【０００１】
本発明は、両面イメージスキャナ装置等の高速な処理が要求される両面イメージスキャナ装置に関する。
【背景技術】
【０００２】
従来、両面イメージスキャナ装置では、高速な処理が要求されるため、表面用および裏面用にそれぞれ個別のイメージセンサ、Ａ／Ｄ変換器、メモリ、画像処理回路等を備えている。また、ファクシミリ等の比較的低速なスキャナ装置では、例えば、（特許文献１）に記載のように、表面用および裏面用のイメージセンサを１ラインごとに交互に切り替えて、１系統のＡ／Ｄ変換器や画像処理回路等で処理するものもある。
【特許文献１】特開平９−２９８６３１号公報
【発明の開示】
【発明が解決しようとする課題】
【０００３】
両面イメージスキャナ装置のように高速な処理が要求される両面イメージスキャナ装置では、（特許文献１）のように表面用および裏面用のイメージセンサを１ラインごとに交互に切り替えて、１系統のＡ／Ｄ変換器で処理することは不可能であり、読み取り速度の低下を招く。
【０００４】
一方で、従来のように表面用と裏面用とを合わせて２系統のＡ／Ｄ変換器、メモリ、画像処理回路等によって処理する場合、回路規模が大きくなり、コストが高くなる。
【０００５】
そこで、本発明においては、回路規模を削減し、かつ高速な処理を可能とした両面イメージスキャナ装置を提供することを目的とする。
【課題を解決するための手段】
【０００６】
上記課題を解決するため、本発明は、原稿の表面側を読み取る表面用イメージセンサおよび裏面側を読み取る裏面用イメージセンサを備え、それぞれ個別のＡ／Ｄ変換器により処理を行う両面イメージスキャナ装置において、Ａ／Ｄ変換器による処理後のデータを表面用のデータ領域および裏面用のデータ領域にそれぞれ記憶する１系統のメモリと、このメモリからデータを読み出して画像処理を行う１系統の画像処理回路と、画像処理回路がメモリにアクセスするデータ領域を、所定の条件により表面用のデータ領域または裏面用のデータ領域のいずれかに切り替えるメモリ切替回路とを備えたことを特徴とする。
【発明の効果】
【０００７】
本発明によれば、２系統のＡ／Ｄ変換器、１系統のメモリおよび１系統の画像処理回路により両面イメージスキャナ装置を構成し、回路規模を削減して、かつ高速な処理を可能とした両面イメージスキャナ装置が得られる。
【発明を実施するための最良の形態】
【０００８】
本発明の請求項１の発明は、原稿の表面側を読み取る表面用イメージセンサおよび裏面側を読み取る裏面用イメージセンサを備え、それぞれ個別のＡ／Ｄ変換器により処理を行う両面イメージスキャナ装置において、Ａ／Ｄ変換器による処理後のデータを表面用のデータ領域および裏面用のデータ領域にそれぞれ記憶する１系統のメモリと、このメモリからデータを読み出して画像処理を行う１系統の画像処理回路と、画像処理回路がメモリにアクセスするデータ領域を、所定の条件により表面用のデータ領域または裏面用のデータ領域のいずれかに切り替えるメモリ切替回路とを備えた両面イメージスキャナ装置である。本発明によれば、表面用および裏面用のイメージセンサにより読み取った信号をそれぞれ個別のＡ／Ｄ変換器により高速に処理して１系統のメモリの表面用のデータ領域および裏面用のデータ領域にそれぞれ書き込み、１系統の画像処理回路がこのメモリからデータを読み出して画像処理を行う際に、メモリにアクセスするデータ領域を、所定の条件により表面用のデータ領域または裏面用のデータ領域のいずれかに切り替える。これにより、２系統のＡ／Ｄ変換器、１系統のメモリおよび１系統の画像処理回路により両面イメージスキャナ装置を構成し、回路規模を削減して、かつ高速な処理を可能とした両面イメージスキャナ装置が得られる。
【０００９】
本発明の請求項２の発明は、メモリ切替回路が、予め設定されたライン数ごとに切り替えるものである両面イメージスキャナ装置であり、表面用および裏面用のイメージセンサにより読み取った信号をそれぞれ個別のＡ／Ｄ変換器により高速に処理して１系統のメモリの表面用のデータ領域および裏面用のデータ領域にそれぞれ書き込み、１系統の画像処理回路がこのメモリからデータを読み出して画像処理を行う際に、メモリにアクセスするデータ領域を、予め設定されたライン数ごとに表面用のデータ領域または裏面用のデータ領域のいずれかに切り替える。これにより、２系統のＡ／Ｄ変換器、１系統のメモリおよび１系統の画像処理回路により両面イメージスキャナ装置を構成し、回路規模を削減して、かつ高速な処理を可能とした両面イメージスキャナ装置が得られる。
【００１０】
本発明の請求項３の発明は、メモリ切替回路が、データバッファのフルまたはエンプティに応じて切り替えるものである両面イメージスキャナ装置であり、表面用および裏面用のイメージセンサにより読み取った信号をそれぞれ個別のＡ／Ｄ変換器により高速に処理して１系統のメモリの表面用のデータ領域および裏面用のデータ領域にそれぞれ書き込み、１系統の画像処理回路がこのメモリからデータを読み出して画像処理を行う際に、メモリにアクセスするデータ領域を、データバッファのフルまたはエンプティに応じて表面用のデータ領域または裏面用のデータ領域のいずれかに切り替える。これにより、２系統のＡ／Ｄ変換器、１系統のメモリおよび１系統の画像処理回路により両面イメージスキャナ装置を構成し、回路規模を削減して、かつ高速な処理を可能とした両面イメージスキャナ装置が得られる。
【００１１】
以下、本発明の実施の形態について、図面を参照して説明する。
【００１２】
図１は本発明の実施の形態における両面イメージスキャナ装置のブロック構成図、図２は図１の補正回路、メモリ、画像処理回路および出力Ｉ／Ｆ回路の関係を示すブロック図である。
【００１３】
図１において、本発明の実施の形態における両面イメージスキャナ装置１は、原稿の表面側をカラーにより読み取る表面用のイメージセンサ２ａと、原稿の裏面側をカラーにより読み取る裏面用のイメージセンサ２ｂと、表面用のイメージセンサ２ａにより読み取った信号をＡ／Ｄ変換する表面用のＡ／Ｄ変換器３ａと、裏面用のイメージセンサ２ｂにより読み取った信号をＡ／Ｄ変換する裏面用のＡ／Ｄ変換器３ｂと、表面用のＡ／Ｄ変換器３ａによる処理後のデータの補正処理を行う表面用の補正回路４ａと、裏面用のＡ／Ｄ変換器３ｂによる処理後のデータの補正処理を行う裏面用の補正回路４ｂと、補正回路４ａ，４ｂによる処理後のデータを記憶するメモリ５と、メモリ５からデータを読み出して画像処理を行う画像処理回路６と、画像処理回路６がメモリ５にアクセスするデータ領域を切り替えるメモリ切替回路７と、メモリ５のデータをホストコンピュータ（ＰＣ）１０等へ出力するための出力Ｉ／Ｆ回路８とを備える。
【００１４】
イメージセンサ２ａ，２ｂは、ＣＣＤ（電荷結合素子）イメージセンサやＣＩＳ（接触型イメージセンサ）等により構成される。Ａ／Ｄ変換器３ａ，３ｂは、サンプル＆ホールド回路やその他のアナログ処理回路等により構成され、デジタル変換後のデータを出力するものである。補正回路４ａ，４ｂは、デジタル変換後のデータの補正処理を行うものであり、図２に示すように、それぞれ表面のデータおよび裏面のデータのシェーディング処理を行うシェーディング補正手段４ａ−１，４ｂ−１等により構成される。
【００１５】
メモリ５は、１系統のメモリであり、図２に示すように、表面用および裏面用のそれぞれのデータ領域として、ライン補正処理に用いられるデータを一次記憶するライン補正バッファ５−１ａ，５−１ｂ、カラー画像処理後のデータを一次記憶するカラー／グレーバッファ５−２ａ，５−２ｂ、２値画像処理に用いられるデータを一次記憶する２値入力グレーバッファ５−３ａ，５−３ｂ、２値画像処理後のデータを一時記憶する２値バッファ５−４ａ，５−４ｂ、圧縮（符号化）処理に用いられるデータを一次記憶する圧縮入力バッファ５−５ａ，５−５ｂや圧縮処理後のデータを一次記憶する圧縮コードバッファ５−６ａ，５−６ｂ等が確保されている。
【００１６】
メモリ切替回路７は、画像処理回路６がメモリ５にアクセスするデータ領域を、所定の条件により上記表面用のデータ領域または裏面用のデータ領域のいずれかに切り替えるものである。切り替えの条件としては、予め設定されたライン数ごとに切り替えたり、データバッファのフルまたはエンプティに応じて切り替えたりする。また、本実施の形態における両面イメージスキャナ装置１では、表裏面のイメージセンサ２ａ，２ｂのギャップを吸収するために切り替え遅延ライン数を設定しておき、メモリ切替回路７によってこの設定された遅延ライン数を考慮した切り替えを行わせることが可能である。
【００１７】
画像処理回路６は、メモリ切替回路７により切り替えられたメモリ５のデータ領域にアクセスしてデータを読み出し、各種画像処理を行うものであり、図２に示すように、１ラインごとに補正を行うライン補正処理手段６−１、カラー画像に対して各種処理を行うカラー画像処理手段６−２、２値化処理を行う２値画像処理手段６−３やＪＰＥＧ（Joint Photographic Experts Group）やＴＩＦＦ（Tagged Image File Format）等のフォーマットへ圧縮（符号化）する圧縮（符号化）手段６−４等により構成される。
【００１８】
ライン補正処理手段６−１は、メモリ切替回路７によって切り替えられたライン補正バッファ５−１ａまたはライン補正バッファ５−１ｂから表面または裏面のデータを読み出してライン補正処理を行い、それぞれ２値入力グレーバッファ５−３ａ，５−３ｂへ格納するとともに、カラー画像処理手段６−２へデータを渡すものである。なお、ライン補正バッファ５−１ａ，５−１ｂには、それぞれイメージセンサ２ａ，２ｂによって読み取られ、Ａ／Ｄ変換器３ａ，３ｂおよび補正回路４ａ，４ｂにより処理された後のデータが格納されている。
【００１９】
カラー画像処理手段６−２は、ライン補正処理手段６−１により渡された表面または裏面のデータを処理した後、メモリ切替回路７によって切り替えられたカラー／グレーバッファ５−２ａまたはカラー／グレーバッファ５−２ｂ、および、圧縮入力バッファ５−５ａまたは圧縮入力バッファ５−５ｂへそれぞれ格納する。
【００２０】
２値画像処理手段６−３は、メモリ切替回路７によって切り替えられた２値入力グレーバッファ５−３ａまたは２値入力グレーバッファ５−３ｂから表面または裏面のデータを読み出し、処理した後、メモリ切替回路７によって切り替えられた２値バッファ５−４ａまたは２値バッファ５−４ｂへそれぞれ格納する。
【００２１】
圧縮手段６−４は、メモリ切替回路７によって切り替えられた圧縮入力バッファ５−５ａまたは圧縮入力バッファ５−５ｂから表面または裏面のデータを読み出し、処理した後、メモリ切替回路７によって切り替えられた圧縮コードバッファ５−６ａまたは圧縮コードバッファ５−６ｂへそれぞれ格納する。
【００２２】
上記のように、本実施の形態における両面イメージスキャナ装置１では、表面用および裏面用のイメージセンサ２ａ，２ｂにより読み取った信号をそれぞれ個別のＡ／Ｄ変換器３ａ，３ｂおよび補正回路４ａ，４ｂにより高速に処理して１系統のメモリ５の表面用のデータ領域および裏面用のデータ領域にそれぞれ書き込み、１系統の画像処理回路６がこのメモリ５からデータを読み出して画像処理を行う際に、メモリ５にアクセスするデータ領域を、所定の条件により表面用のデータ領域または裏面用のデータ領域のいずれかに切り替える。これにより、本実施の形態における両面イメージスキャナ装置１では、２系統のＡ／Ｄ変換器３ａ，３ｂおよび補正回路４ａ，４ｂ、並びに、１系統のメモリ５および画像処理回路６により高速な処理を可能とすることができ、回路規模を削減して、低コストの両面イメージスキャナ装置１を実現できる。
【産業上の利用可能性】
【００２３】
本発明は、両面イメージスキャナ装置等の高速な処理が要求される両面イメージスキャナ装置として有用である。特に、本発明は、回路規模を削減し、かつ高速な処理を可能とした両面イメージスキャナ装置として好適である。
【図面の簡単な説明】
【００２４】
【図１】本発明の実施の形態における両面イメージスキャナ装置のブロック構成図
【図２】図１の補正回路、メモリ、画像処理回路および出力Ｉ／Ｆ回路の関係を示すブロック図
【符号の説明】
【００２５】
１    両面イメージスキャナ装置
２ａ，２ｂ    イメージセンサ
３ａ，３ｂ    Ａ／Ｄ変換器
４ａ，４ｂ    補正回路
４ａ−１，４ｂ−１    シェーディング補正手段
５    メモリ
５−１ａ，５−１ｂ    ライン補正バッファ
５−２ａ，５−２ｂ    カラー／グレーバッファ
５−３ａ，５−３ｂ    ２値入力グレーバッファ
５−４ａ，５−４ｂ    ２値バッファ
５−５ａ，５−５ｂ    圧縮入力バッファ
５−６ａ，５−６ｂ    圧縮コードバッファ
６    画像処理回路
６−１    ライン補正処理手段
６−２    カラー画像処理手段
６−３    ２値画像処理手段
６−４    圧縮（符号化）手段
７    メモリ切替回路
８    出力Ｉ／Ｆ回路
１０  ホストコンピュータ（ＰＣ）
【図１】
2007274449.tif 000003
【図２】
2007274449.tif 000004